(57)【要約】【課題】広告先選別用の情報収集に有用な情報仲介装置を提供する。【解決手段】情報仲介装置である仲介サーバ５は、懸賞用の景品を有する第１業者から、景品の情報及び懸賞に応募するためのアンケートの情報を取得する懸賞情報取得部５２１と、景品の情報及びアンケートの情報を第２業者の情報発信サイトに提供する懸賞情報提供部５２３と、アンケートへの回答及び回答者の識別情報を取得し、蓄積する応募情報蓄積部５２６と、応募情報蓄積部５２６に蓄積された情報を第１業者に提供する応募情報提供部５２７と、を備える。【選択図】図２
2015212868.tif 000002
【特許請求の範囲】
【請求項１】
懸賞用の景品を有する第１業者から、前記景品の情報及び前記懸賞に応募するためのアンケートの情報を取得する懸賞情報取得部と、
前記景品の情報及び前記アンケートの情報を第２業者の情報発信サイトに提供する懸賞情報提供部と、
前記アンケートへの回答及び回答者の識別情報を取得し、蓄積する応募情報蓄積部と、
前記応募情報蓄積部に蓄積された情報を前記第１業者に提供する応募情報提供部と、を備える情報仲介装置。
【請求項２】
前記アンケートへの回答内容に基づく広告先の条件を前記第１業者から取得する広告条件取得部と、
広告情報を前記第１業者から取得する広告情報取得部と、
前記広告情報取得部により取得された広告情報を、前記広告先の条件に該当する前記回答者に提供する広告情報提供部と、を更に備える請求項１記載の情報仲介装置。
【請求項３】
前記広告情報提供部は、前記広告先の条件に該当する前記回答者に前記広告情報を電子メールで送信する、請求項２記載の情報仲介装置。
【請求項４】
前記広告情報提供部は、前記広告先の条件に該当する前記回答者の端末に前記情報発信サイトの内容が表示される場合に限定して、表示内容に前記広告情報を含める、請求項２記載の情報仲介装置。
【請求項５】
前記情報発信サイトへの登録者の情報を蓄積する登録情報蓄積部を更に備え、
前記応募情報蓄積部は、前記登録者が登録先の前記情報発信サイトを介して前記アンケートに回答する場合に限定して、前記アンケートへの回答及び前記回答者の識別情報を取得する、請求項１〜４のいずれか一項記載の情報仲介装置。
【請求項６】
前記懸賞情報提供部は、前記景品の新着情報を、前記登録情報蓄積部に蓄積された情報に基づいて前記登録者の端末に送信する、請求項５記載の情報仲介装置。
【請求項７】
前記景品の情報及び前記アンケートの情報を提供すべき前記第２業者を、予め設定されたマッチング条件に応じて選定するマッチング処理部を更に備え、
前記懸賞情報提供部は、前記マッチング処理部により選定された前記第２業者の前記情報発信サイトのみに前記景品の情報及び前記アンケートの情報を提供する、請求項１〜６のいずれか一項記載の情報仲介装置。
【請求項８】
募集先の条件を前記第１業者から取得する募集条件取得部を更に備え、
前記懸賞情報提供部は、前記募集先の条件に該当する閲覧者の端末に前記情報発信サイトの内容が表示される場合に限定して、表示内容に前記景品の情報及び前記アンケートの情報を含める、請求項１〜７のいずれか一項記載の情報仲介装置。
【発明の詳細な説明】
【技術分野】
【０００１】
本開示は、情報仲介装置に関する。
【背景技術】
【０００２】
近年、インターネットを介した広告が盛んに行われている。インターネットを介した広告においても、広告効果を高めるべく、広告対象を絞ったターゲッティング広告が必要とされている（例えば、特許文献１参照）。
【先行技術文献】
【特許文献】
【０００３】
【特許文献１】特開２００２−２９７６１９号公報
【発明の概要】
【発明が解決しようとする課題】
【０００４】
広告対象の選別を的確に行うためには、個人の属性及び嗜好等、広告先選別用の情報をより多く収集する必要がある。
【０００５】
そこで本開示は、広告先選別用の情報収集に有用な情報仲介装置を提供することを目的とする。
【課題を解決するための手段】
【０００６】
本開示に係る情報仲介装置は、懸賞用の景品を有する第１業者から、景品の情報及び懸賞に応募するためのアンケートの情報を取得する懸賞情報取得部と、景品の情報及びアンケートの情報を第２業者の情報発信サイトに提供する懸賞情報提供部と、アンケートへの回答及び回答者の識別情報を取得し、蓄積する応募情報蓄積部と、応募情報蓄積部に蓄積された情報を第１業者に提供する応募情報提供部と、を備える。
【発明の効果】
【０００７】
本開示によれば、広告先選別用の情報収集に有用な情報仲介装置を提供できる。
【図面の簡単な説明】
【０００８】
【図１】本実施形態に係る情報仲介システムの概略構成を示す模式図である。
【図２】情報仲介装置の機能的な構成を示すブロック図である。
【図３】情報仲介方法の実行手順を示すフローチャートである。
【発明を実施するための形態】
【０００９】
以下、実施形態について図面を参照しつつ詳細に説明する。説明において、同一要素又は同一機能を有する要素には同一の符号を付し、重複する説明を省略する。
【００１０】
図１に示すように、情報仲介システム１は、通信ネットワーク２と、業者端末３と、業者サーバ４と、仲介サーバ５と、ユーザ端末６と、管理端末７とを備える。通信ネットワーク２は、例えばインターネットであり、業者端末３、業者サーバ４、仲介サーバ５、ユーザ端末６及び管理端末７はそれぞれ通信ネットワーク２に接続されている。
【００１１】
業者端末３は、懸賞用の景品を有する第１業者の端末である。懸賞用の景品は、必ずしも実体物でなくてよく、映像データ、音楽データ又はゲームデータ等のデジタルコンテンツであってもよい。業者サーバ４は、第２業者のサーバであり、第２業者の情報発信サイトを有する。ユーザ端末６は、第２業者の情報発信サイトの閲覧者の端末である。図１において、業者端末３及び業者サーバ４はいずれも一つとなっているが、業者端末３及び業者サーバ４はいずれも複数であってよく、その数に制限はない。すなわち、情報仲介システム１を利用する第１業者及び第２業者はいずれも複数であってよく、その数に制限はない。なお、同じ業者が常に第１業者又は第２業者である必要はなく、第１業者及び第２業者のいずれか一方として情報仲介システム１を利用していた業者が、別の状況において第１業者及び第２業者の他方として情報仲介システム１を利用し得る。
【００１２】
仲介サーバ５（情報仲介装置）は業者端末３及び業者サーバ４の間で情報を仲介するサーバであり、管理端末７は仲介サーバ５の管理者用の端末である。
【００１３】
仲介サーバ５は、プロセッサ５１１と、メモリ５１２と、ストレージ５１３と、ネットワークアダプタ５１４と、これらを接続するバス５１５とを有する。プロセッサ５１１は、メモリ５１２及びストレージ５１３の少なくとも一方と協働してプログラムを実行することで、ネットワークアダプタ５１４を介したデータの入出力を行う。これにより、仲介サーバ５の様々な機能が実現される。なお、ここに示した仲介サーバ５の構成は一例である。仲介サーバ５は、以下に説明する機能を実現可能であれば、ハードウェア上どのように構成されていてもよい。
【００１４】
図２は、仲介サーバ５の各機能を仮想的な構成要素（以下、「機能ブロック」という。）として示した図である。これらの機能ブロックは、仲介サーバ５の機能を便宜上複数のブロックに区切ったものに過ぎず、ハードウェアがこのようなブロックに分かれていることを意味するものではない。
【００１５】
仲介サーバ５は、機能ブロックとして、登録情報蓄積部５２５と、懸賞情報取得部５２１と、募集条件取得部５２２と、マッチング処理部５２４と、懸賞情報提供部５２３と、応募情報蓄積部５２６と、応募情報提供部５２７と、広告条件取得部５３１と、広告情報取得部５３２と、広告情報提供部５３３とを有する。
【００１６】
登録情報蓄積部５２５は、情報発信サイトへの登録者の情報を業者サーバ４経由で取得し、蓄積する。登録者の情報は、例えば登録者の識別情報及び個人情報とを対応付けた情報である。登録者の個人情報は、例えば氏名、性別、年齢及び連絡先等である。
【００１７】
懸賞情報取得部５２１は、懸賞用の景品の情報及び懸賞に応募するためのアンケートの情報（以下、「懸賞情報」という。）を業者端末３経由で第１業者から取得する。アンケートの情報を取得する手法としては、コンテンツマネジメントシステム（ＣＭＳ）を利用したアンケート作成用の簡易ツールを業者端末３経由で第１業者に提供し、当該簡易ツールにより作成されたアンケートの情報を業者端末３経由で取得するものが挙げられる。なお、簡易ツールを第１業者に提供することは、仲介サーバ５が有する簡易ツールを業者端末３経由で第１業者に遠隔的に利用させることを含む。
【００１８】
募集条件取得部５２２は、懸賞への参加の募集先の条件を業者端末３経由で第１業者から取得する。募集先の条件としては、例えば性別、年齢、居住地、勤務地及び職種等が挙げられる。
【００１９】
マッチング処理部５２４は、懸賞情報を提供すべき第２業者を、予め設定されたマッチング条件に応じて選定する。マッチング条件の具体例としては、第１業者及び第２業者が同業者である場合に当該第１業者の懸賞情報を当該第２業者の情報発信サイトに掲載しないこと等が挙げられる。
【００２０】
懸賞情報提供部５２３は、業者サーバ４に設けられた第２業者の情報発信サイトに懸賞情報を提供する。懸賞情報提供部５２３は、マッチング処理部５２４により選定された第２業者の情報発信サイトのみに懸賞情報を提供し、募集条件取得部５２２により取得された募集先の条件に該当する閲覧者の端末に当該情報発信サイトの内容が表示される場合に限定して、表示内容に懸賞情報を含める。
【００２１】
応募情報蓄積部５２６は、アンケートへの回答及び回答者の識別情報（以下、「応募情報」という。）を業者サーバ４経由で取得し、蓄積する。なお、業者サーバ４経由で応募情報を取得することは、当該業者サーバ４の情報発信サイトに掲載したリンクにより別のサイトに誘導し、当該別のサイトを介して応募情報を取得することを含む。応募情報蓄積部５２６は、登録情報蓄積部５２５を参照し、登録者が登録先の情報発信サイトを介してアンケートに回答する場合に限定して、応募情報を取得する。なお、情報発信サイトを介してアンケートに回答することは、当該情報発信サイトに掲載したリンクにより別のサイトに移行し、当該別のサイトを介してアンケートに回答することを含む。
【００２２】
応募情報提供部５２７は、応募情報蓄積部５２６に蓄積された応募情報を業者端末３経由で第１業者に提供する。
【００２３】
広告条件取得部５３１は、アンケートへの回答内容に基づく広告先の条件を業者端末３経由で第１業者から取得する。広告先の条件の具体例としては、商品への興味の有無を尋ねる問に「有」と回答していること等が挙げられる。
【００２４】
広告情報取得部５３２は、広告情報を業者端末３経由で第１業者から取得する。広告情報は、例えば販促用の映像・音声コンテンツ等である。広告情報は、景品情報及びクーポン情報等を更に含んでいてもよい。
【００２５】
広告情報提供部５３３は、広告情報取得部５３２により取得された広告情報を、広告条件取得部５３１により取得された広告先の条件に該当する回答者に提供する。広告情報提供部５３３は、広告先の条件に該当する回答者の端末に広告情報を電子メールで送信するものであってもよいし、広告先の条件に該当する回答者の端末に情報発信サイトの内容が表示される場合に限定して、表示内容に前記広告情報を含めるものであってもよい。
【００２６】
仲介サーバ５は、図３に示す手順で情報仲介方法を実行する。まず、仲介サーバ５（懸賞情報取得部５２１及び募集条件取得部５２２）は、第１業者から懸賞情報及び募集先の条件を取得する（ステップＳ１）。
【００２７】
次に、仲介サーバ５（マッチング処理部５２４）は、懸賞情報を提供すべき第２業者を、予め設定されたマッチング条件に応じて選定する（ステップＳ２）。
【００２８】
次に、仲介サーバ５（懸賞情報提供部５２３）は、業者サーバ４に設けられた第２業者の情報発信サイトに懸賞情報を提供する（ステップＳ３）。仲介サーバ５は、マッチング条件に応じて選定された第２業者の情報発信サイトのみに懸賞情報を提供し、募集先の条件に該当する閲覧者の端末に当該情報発信サイトの内容が表示される場合に限定して、表示内容に懸賞情報を含める。
【００２９】
次に、仲介サーバ５（応募情報蓄積部５２６）は、応募情報を取得し、蓄積する（ステップＳ４）。仲介サーバ５は、登録者が登録先の情報発信サイトを介してアンケートに回答する場合に限定して応募情報を取得する。
【００３０】
次に、仲介サーバ５（応募情報提供部５２７）は、応募情報を第１業者に提供する（ステップＳ５）。
【００３１】
次に、仲介サーバ５（広告情報取得部５３２及び広告条件取得部５３１）は、第１業者から広告情報及び広告先の条件を取得する（ステップＳ６）。
【００３２】
次に、仲介サーバ５（広告情報提供部５３３）は、広告情報を広告先の条件に該当する回答者に提供する（ステップＳ７）。
【００３３】
以上に説明したように、仲介サーバ５は、第１業者から懸賞情報を取得する懸賞情報取得部５２１と、懸賞情報を第２業者の情報発信サイトに提供する懸賞情報提供部５２３と、応募情報を取得し、蓄積する応募情報蓄積部５２６と、応募情報蓄積部５２６に蓄積された情報を第１業者に提供する応募情報提供部５２７とを備える。
【００３４】
この仲介サーバ５によれば、第１業者は、第２業者の情報発信サイトの閲覧者から応募情報を取得できる。応募情報は、広告先選別用の情報として活用可能である。第２業者は、第１業者が提供する景品を利用して、自身の情報発信サイトの閲覧を促すことができる。このように、第１業者及び第２業者の双方に利益をもたらすことで、より多くの第１業者及び第２業者の参加を募り、より多くの応募情報を蓄積できる。このように、仲介サーバ５は、広告先選別用の情報収集に有用である。
【００３５】
仲介サーバ５は、アンケートへの回答内容に基づく広告先の条件を第１業者から取得する広告条件取得部５３１と、広告情報を第１業者から取得する広告情報取得部５３２と、広告情報取得部５３２により取得された広告情報を、広告先の条件に該当する回答者に提供する広告情報提供部５３３とを更に備える。このため、第１業者から取得した広告情報を、第１業者から取得した条件に該当する回答者に選択的に提供できる。これにより、第１業者に更なる利便性を提供できる。なお、広告条件取得部５３１と、広告情報取得部５３２と、広告情報提供部５３３とを備えることは必須ではない。
【００３６】
仲介サーバ５は、情報発信サイトへの登録者の情報を蓄積する登録情報蓄積部５２５を更に備え、応募情報蓄積部５２６は、登録者が登録先の情報発信サイトを介してアンケートに回答する場合に限定して、応募情報を取得する。このため、第１業者が提供する景品を利用して、第２業者の情報発信サイトへの登録を促すことができる。これにより、登録会員の増加という更なる利益を第２業者にもたらすことができる。なお、アンケートの回答の取得を登録状況に応じて制限することは必須ではない。
【００３７】
懸賞情報提供部５２３は、景品の新着情報を、登録情報蓄積部５２５に蓄積された情報に基づいて登録者の端末に送信してもよい。この場合、登録情報蓄積部５２５に蓄積された情報を有効活用し、第２業者の情報発信サイトの閲覧を更に促すことができる。
【００３８】
仲介サーバ５は、懸賞情報を提供すべき第２業者を、予め設定されたマッチング条件に応じて選定するマッチング処理部５２４を更に備え、懸賞情報提供部５２３は、マッチング処理部５２４により選定された第２業者の情報発信サイトのみに懸賞情報を提供する。例えば第１業者及び第２業者が同業者である場合には、第１業者の懸賞情報を第２業者の情報発信サイトに提供することは、双方の不利益になる可能性がある。予め設定されたマッチング条件に応じて懸賞情報の提供を制限することで、このような不利益を防止し、第１業者及び第２業者にとっての利益をより確実なものとすることができる。なお、マッチング条件に応じて懸賞情報の提供を制限することは必須ではない。
【００３９】
仲介サーバ５は、募集先の条件を第１業者から取得する募集条件取得部５２２を更に備え、懸賞情報提供部５２３は、募集先の条件に該当する閲覧者の端末に情報発信サイトの内容が表示される場合に限定して、表示内容に懸賞情報を含める。募集先の条件に応じて懸賞情報を選択的に表示することで、懸賞への応募を更に促し、より多くの応募情報を蓄積できる。なお、懸賞情報の表示を募集先の条件に応じて選択的に行うことは必須ではない。
【００４０】
懸賞情報提供部５２３は、管理端末７からの指示入力に応じて懸賞情報の提供を規制してもよい。この場合、懸賞情報の提供先をより細やかに設定できる。
【００４１】
応募情報提供部５２７は、応募情報蓄積部５２６に蓄積された情報を回答内容ごとに集計し、当該集計結果を更に第１業者に提供してもよい。この場合、第１業者に更なる利便性を提供できる。
【００４２】
以上、実施形態について説明してきたが、本発明は上述した実施形態に限定されるものではなく、その要旨を逸脱しない範囲で様々な変更が可能である。例えば、第２業者の情報発信サイトは必ずしも業者サーバ４に設けられていなくてもよく、仲介サーバ５等に設けられていてもよい。
【符号の説明】
【００４３】
５…仲介サーバ（情報仲介装置）、５２１…懸賞情報取得部、５２２…募集条件取得部、５２３…懸賞情報提供部、５２４…マッチング処理部、５２５…登録情報蓄積部、５２６…応募情報蓄積部、５２７…応募情報提供部、５３１…広告条件取得部、５３２…広告情報取得部、５３３…広告情報提供部。
【図１】
2015212868.tif 000003
【図２】
2015212868.tif 000004
【図３】
2015212868.tif 000005
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
懸賞用の景品を有する第１業者から、前記景品の情報及び前記懸賞に応募するためのアンケートの情報を取得する懸賞情報取得部と、
前記景品の情報及び前記アンケートの情報を第２業者の情報発信サイトに提供する懸賞情報提供部と、
前記アンケートへの回答及び回答者の識別情報を取得し、蓄積する応募情報蓄積部と、
前記応募情報蓄積部に蓄積された情報を前記第１業者に提供する応募情報提供部と、
前記情報発信サイトへの登録者の情報を蓄積する登録情報蓄積部と、を備え、
前記応募情報蓄積部は、前記登録者が登録先の前記情報発信サイトを介して前記アンケートに回答する場合に限定して、前記アンケートへの回答及び前記回答者の識別情報を取得する情報仲介装置。
【請求項２】
前記アンケートへの回答内容に基づく広告先の条件を前記第１業者から取得する広告条件取得部と、
広告情報を前記第１業者から取得する広告情報取得部と、
前記広告情報取得部により取得された広告情報を、前記広告先の条件に該当する前記回答者に提供する広告情報提供部と、を更に備える請求項１記載の情報仲介装置。
【請求項３】
前記広告情報提供部は、前記広告先の条件に該当する前記回答者に前記広告情報を電子メールで送信する、請求項２記載の情報仲介装置。
【請求項４】
前記広告情報提供部は、前記広告先の条件に該当する前記回答者の端末に前記情報発信サイトの内容が表示される場合に限定して、表示内容に前記広告情報を含める、請求項２記載の情報仲介装置。
【請求項５】
前記懸賞情報提供部は、前記景品の新着情報を、前記登録情報蓄積部に蓄積された情報に基づいて前記登録者の端末に送信する、請求項１〜４のいずれか一項記載の情報仲介装置。
【請求項６】
前記景品の情報及び前記アンケートの情報を提供すべき前記第２業者を、予め設定されたマッチング条件に応じて選定するマッチング処理部を更に備え、
前記懸賞情報提供部は、前記マッチング処理部により選定された前記第２業者の前記情報発信サイトのみに前記景品の情報及び前記アンケートの情報を提供する、請求項１〜５のいずれか一項記載の情報仲介装置。
【請求項７】
募集先の条件を前記第１業者から取得する募集条件取得部を更に備え、
前記懸賞情報提供部は、前記募集先の条件に該当する閲覧者の端末に前記情報発信サイトの内容が表示される場合に限定して、表示内容に前記景品の情報及び前記アンケートの情報を含める、請求項１〜６のいずれか一項記載の情報仲介装置。
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
懸賞用の景品を有する第１業者から、前記景品の情報及び前記懸賞に応募するためのアンケートの情報を取得する懸賞情報取得部と、
前記景品の情報及び前記アンケートの情報を第２業者の情報発信サイトに提供する懸賞情報提供部と、
前記アンケートへの回答及び回答者の識別情報を取得し、蓄積する応募情報蓄積部と、
前記応募情報蓄積部に蓄積された情報を前記第１業者に提供する応募情報提供部と、
前記情報発信サイトへの登録者の情報を蓄積する登録情報蓄積部と、を備え、
前記応募情報蓄積部は、前記情報発信サイトへの登録者として前記登録情報蓄積部に情報が蓄積された者が登録先の前記情報発信サイトを介して前記アンケートに回答する場合に限定して、前記アンケートへの回答及び前記回答者の識別情報を取得する情報仲介装置。
【請求項２】
前記アンケートへの回答内容に基づく広告先の条件を前記第１業者から取得する広告条件取得部と、
広告情報を前記第１業者から取得する広告情報取得部と、
前記広告情報取得部により取得された広告情報を、前記広告先の条件に該当する前記回答者に提供する広告情報提供部と、を更に備える請求項１記載の情報仲介装置。
【請求項３】
前記広告情報提供部は、前記広告先の条件に該当する前記回答者に前記広告情報を電子メールで送信する、請求項２記載の情報仲介装置。
【請求項４】
前記広告情報提供部は、前記広告先の条件に該当する前記回答者の端末に前記情報発信サイトの内容が表示される場合に限定して、表示内容に前記広告情報を含める、請求項２記載の情報仲介装置。
【請求項５】
前記懸賞情報提供部は、前記景品の新着情報を、前記登録情報蓄積部に蓄積された情報に基づいて前記登録者の端末に送信する、請求項１〜４のいずれか一項記載の情報仲介装置。
【請求項６】
前記景品の情報及び前記アンケートの情報を提供すべき前記第２業者を、予め設定されたマッチング条件に応じて選定するマッチング処理部を更に備え、
前記懸賞情報提供部は、前記マッチング処理部により選定された前記第２業者の前記情報発信サイトのみに前記景品の情報及び前記アンケートの情報を提供する、請求項１〜５のいずれか一項記載の情報仲介装置。
【請求項７】
募集先の条件を前記第１業者から取得する募集条件取得部を更に備え、
前記懸賞情報提供部は、前記募集先の条件に該当する閲覧者の端末に前記情報発信サイトの内容が表示される場合に限定して、表示内容に前記景品の情報及び前記アンケートの情報を含める、請求項１〜６のいずれか一項記載の情報仲介装置。
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
懸賞用の景品を有する第１業者から、前記景品の情報及び前記懸賞に応募するためのアンケートの情報を取得する懸賞情報取得部と、
前記景品の情報及び前記アンケートの情報を第２業者の情報発信サイトに提供する懸賞情報提供部と、
前記アンケートへの回答及び回答者の識別情報を取得し、蓄積する応募情報蓄積部と、
前記応募情報蓄積部に蓄積された情報を前記第１業者に提供する応募情報提供部と、
前記情報発信サイトへの登録者の情報を蓄積する登録情報蓄積部と、を備え、
前記応募情報蓄積部は、前記登録情報蓄積部を参照し、前記情報発信サイトへの登録者として前記登録情報蓄積部に情報が蓄積された者が登録先の前記情報発信サイトを介して前記アンケートに回答する場合に限定して、前記アンケートへの回答及び前記回答者の識別情報を取得することで、第１業者が提供する景品を利用して、第２業者の情報発信サイトへの登録を促す、情報仲介装置。
【請求項２】
前記アンケートへの回答内容に基づく広告先の条件を前記第１業者から取得する広告条件取得部と、
広告情報を前記第１業者から取得する広告情報取得部と、
前記広告情報取得部により取得された広告情報を、前記広告先の条件に該当する前記回答者に提供する広告情報提供部と、を更に備える請求項１記載の情報仲介装置。
【請求項３】
前記広告情報提供部は、前記広告先の条件に該当する前記回答者に前記広告情報を電子メールで送信する、請求項２記載の情報仲介装置。
【請求項４】
前記広告情報提供部は、前記広告先の条件に該当する前記回答者の端末に前記情報発信サイトの内容が表示される場合に限定して、表示内容に前記広告情報を含める、請求項２記載の情報仲介装置。
【請求項５】
前記懸賞情報提供部は、前記景品の新着情報を、前記登録情報蓄積部に蓄積された情報に基づいて前記登録者の端末に送信する、請求項１〜４のいずれか一項記載の情報仲介装置。
【請求項６】
前記景品の情報及び前記アンケートの情報を提供すべき前記第２業者を、予め設定されたマッチング条件に応じて選定するマッチング処理部を更に備え、
前記懸賞情報提供部は、前記マッチング処理部により選定された前記第２業者の前記情報発信サイトのみに前記景品の情報及び前記アンケートの情報を提供する、請求項１〜５のいずれか一項記載の情報仲介装置。